(57)【要約】【課題】本発明にかかる空気調和装置は外観品位の向上を図ることができるものである。【解決手段】化粧板２９の長手方向における他方側には、たわみ部３４を有し、たわみ部３４には、本体ケース１の内方に突出した化粧板突起３５を有し、本体ケース１の開口２５の縁には、本体ケース１から化粧板２９側へ突出した本体ケース突起３６を有し、貯水容器２７を空洞部２６に装着すると、化粧板突起３５が本体ケース突起３６と接触し、化粧板２９の長手方向における一方側の端部は、空洞部２６との内面側に押され、たわみ部３４は曲がり、化粧板２９の長手方向における他方側の内面が本体ケース１の外面側に押されることにより、外観品位が向上した空気調和装置を得られる。【選択図】図５
2019158226.tif 000002
【特許請求の範囲】
【請求項１】
本体ケースと、
前記本体ケース内に設けた空気調和ユニットと、
前記本体ケースの下部に設けた開口と、
前記開口から前記本体ケース内に延びた空洞部と、
前記空洞部に着脱自在に設けた貯水部とを備え、
前記貯水部は、
深皿形状の貯水容器と、
前記貯水容器の側面に対向するように固定された横長板形状の化粧板とを備え、
前記化粧板は、前記化粧板の長手方向における一方側の端部が、前記空洞部の内部に配置され、前記化粧板の長手方向における他方側の端部は、前記空洞部の外部に配置され、
前記化粧板の長手方向における他方側には、たわみ部を有し、
前記たわみ部には、前記本体ケースの内方に突出した化粧板突起を有し、
前記本体ケースの前記開口の縁には、前記本体ケースから前記化粧板側へ突出した本体ケース突起を有し、
前記貯水容器を前記空洞部に装着すると、前記化粧板突起が前記本体ケース突起と接触し、前記化粧板の長手方向における一方側の端部は、前記空洞部との内面側に押され、前記たわみ部は曲がり、前記化粧板の長手方向における他方側の内面が前記本体ケースの外面側に押されることを特徴とする空気調和装置。
【請求項２】
前記たわみ部は、前記化粧板の長手方向において外方に凸形状の曲面であることを特徴とする請求項１に記載の空気調和装置。
【請求項３】
前記化粧板突起は、前記化粧板における上端に設けられたことを特徴とする請求項１または２に記載の空気調和装置。
【請求項４】
前記本体ケースの前記開口上部の縁には、隙間保持部を有し、
前記隙間保持部は、前記開口上部の縁から内方へ水平に延びた第１のリブと、
前記第１のリブから下方に延びた第２のリブとを備えたことを特徴とする請求項１から３のいずれかに記載の空気調和装置。
【発明の詳細な説明】
【技術分野】
【０００１】
本発明は空気調和装置に関するものである。
【背景技術】
【０００２】
従来、この種の空気調和装置は、本体ケースと、本体ケース内に設けた空気調和ユニットと、本体ケースの下部に設けた開口と、開口から本体ケース内に延びた空洞部と、空洞部に着脱自在に設けた貯水部とを備えていることを特徴とした空気調和装置が知られている（例えば、特許文献１参照）。
【先行技術文献】
【特許文献】
【０００３】
【特許文献１】特開２００７−２１６０９０号公報
【発明の概要】
【発明が解決しようとする課題】
【０００４】
このような従来の空気調和装置における課題は、本体ケース内に延びた空洞部に嵌合する貯水部を有する場合には、本体ケースと貯水部の仕上がり寸法のバラツキによって、本体ケースと貯水部とに、隙間や段差が発生するということであった。
【課題を解決するための手段】
【０００５】
そして、この目的を達成するために、本発明の一態様に係る空気調和装置は、本体ケースと、前記本体ケース内に設けた空気調和ユニットと、前記本体ケースの下部に設けた開口と、前記開口から前記本体ケース内に延びた空洞部と、前記空洞部に着脱自在に設けた貯水部とを備え、前記貯水部は、深皿形状の貯水容器と、前記貯水容器の側面に対向するように固定された横長板形状の化粧板とを備え、前記化粧板は、前記化粧板の長手方向における一方側の端部が、前記空洞部の内部に配置され、前記化粧板の長手方向における他方側の端部は、前記空洞部の外部に配置され、前記化粧板の長手方向における他方側には、たわみ部を有し、前記たわみ部には、前記本体ケースの内方に突出した化粧板突起を有し、前記本体ケースの前記開口の縁には、前記本体ケースから前記化粧板側へ突出した本体ケース突起を有し、前記貯水容器を前記空洞部に装着すると、前記化粧板突起が前記本体ケース突起と接触し、前記化粧板の長手方向における一方側の端部は、前記空洞部との内面側に押され、前記たわみ部は曲がり、前記化粧板の長手方向における他方側の内面が前記本体ケースの外面側に押されることを特徴とし、これにより所期の目的を達成するものである。
【発明の効果】
【０００６】
本発明によれば、本体ケースと、本体ケースに嵌合する嵌合部品の仕上がり寸法のバラツキによって発生する本体ケースと嵌合部品との隙間や段差を小さくすることで、外観品位の向上を図ることを目的とするものである。
【図面の簡単な説明】
【０００７】
【図１】本発明の実施の形態における空気調和装置の斜視図
【図２】同空気調和装置の分解斜視図
【図３】同空気調和装置の概略断面図
【図４】同空気調和装置の斜視図
【図５】同空気調和装置の貯水部の分解斜視図
【図６】同空気調和装置の貯水部の斜視図
【図７】同空気調和装置の斜視図
【発明を実施するための形態】
【０００８】
以下、本発明の実施の形態について図面を参照しながら説明する。
【０００９】
（実施の形態１）
図１は本発明の実施の形態における空気調和装置の斜視図であり、図２は概略構成を示す分解斜視図を図３には図１におけるＡ−Ａ断面の概略断面図を示す。
【００１０】
図１、図２、図３に示すように、本実施形態の空気調和装置は、縦長箱形状の本体ケース１の前面に吸込口２を設け、本体ケース１の上面の前面側には操作部３を、本体ケース１の上面の背面側には吹出口４を有している。使用者は、操作部３を操作することで空気調和装置の操作および運転モードの確認をすることができる。吹出口４の上方には、回動自在なルーバー５を備えている。本体ケース１の背面側下方には、貯水部６が出没自在に設けられており、本体ケース１内で生成された除湿水を貯水する。
【００１１】
本体ケース１内には、除湿ロータ部７と、再生ユニット８と、送風機９とを備えている。
【００１２】
除湿ロータ部７は、除湿ロータ１０と、支持枠１１と、モータ１２とを有している。
【００１３】
除湿ロータ１０は、円板形状で、回転軸が水平方向に延びるように、支持枠１１に回動自在に設けられている。除湿ロータ１０は、吸着材が担持された軸方向に通風可能なハニカム形状で構成されており、この吸着材は、晒される空気の相対湿度が高ければ多くの水分を保持でき、相対湿度が低くなると保持可能な水分量が減少する特性を有している。このように、相対湿度の異なる複数の空気との接触を繰り返せば、各々の相対湿度における吸着材の保持可能な水分量の差に応じて水分の吸脱着が行われることになる。除湿ロータは、空気中の水分を除湿ロータ１０に吸着する吸湿領域１０ａと、除湿ロータ１０に吸着した水分を放出する放湿領域１０ｂとを有する。除湿ロータ１０の外周には、多数の歯１０ｃを有している。
【００１４】
支持枠１１は、本体ケース１における前面側と背面側とを仕切るように配置され、中央部には、円形の開口１１ａを有している。除湿ロータ１０は、本体ケース１における背面と支持枠１１との間に配置され、支持枠１１の開口１１ａを塞ぐように、回動自在に設けられている。支持枠１１の下部には、下方に開口した蓋形状である下面部１１ｂを備えている。
【００１５】
モータ１２は、支持枠１１に固定され、歯車１２ａを有し、歯車１２ａは、除湿ロータ１０外周から突出した多数の歯１０ｃと接触する。モータ１２が駆動すると歯車１２ａが回転し、この歯車１２ａによって除湿ロータ１０も回転する。
【００１６】
再生ユニット８は、除湿ロータ１０における放湿領域１０ｂの一方側面（本体ケースにおける前面側）と、除湿ロータ１０における放湿領域１０ｂの他方側面（本体ケースにおける背面側）と連通する循環風路１３と、循環風路１３内に設けた、発熱部１４と、熱交換器１５と、循環送風機１６とを有する。
【００１７】
発熱部１４は、除湿ロータ１０における放湿領域１０ｂの一方側面（本体ケースにおける背面側）に配置されている。発熱部１４は、ニクロム線などの通電発熱する材料で構成され、発熱することにより除湿ロータ１０の放湿領域１０ｂにおいて、除湿ロータ１０から水分を放出させている。
【００１８】
熱交換器１５は、除湿ロータ１０の放湿領域１０ｂから放出した水分を含む再生空気と、送風機９が供給する室内空気とを熱交換して水分を凝縮する。熱交換器１５は、本体ケース１における前面と支持枠１１との間に、除湿ロータ１０と水平方向に隣り合うように配置されている。
【００１９】
循環送風機１６は、モータ１６ａと羽根車１６ｂを組み合わせた、いわゆるシロッコファンとして構成し、循環風路１３内で空気の循環を行っている。循環送風機１６は、循環風路１３における発熱部１４と熱交換器１５との間に配置されている。循環送風機１６から送風された空気は、発熱部１４、除湿ロータ１０における放湿領域１０ｂ、熱交換器１５を順次介して、循環送風機１６に吸い込まれる。
【００２０】
送風機９は、本体ケース１における背面と支持枠１１との間に配置されている。送風機９は、モータ部９ａと、モータ部９ａにより回転するファン部９ｂと、それらを囲むスクロール形状のケーシング部９ｃとを備えている。
【００２１】
モータ部９ａは、ケーシング部９ｃに固定されている。
【００２２】
ファン部９ｂは、シロッコファンで、モータ部９ａから水平方向に延びた回転軸（図示せず）に固定されている。モータ部９ａの回転軸は、本体ケース１の前面側から背面側に延びている。
【００２３】
ケーシング部９ｃには、吐出口１７と吸気口１８とが設けられている。吐出口１７は、ケーシング部９ｃの本体ケース１における上面側に設けられている。また、吸気口１８は、ケーシング部９ｃの本体ケース１における前面側に設けられている。ケーシング部９ｃは、モータ部９ａを固定し、吸気口１８が設けられた吸込面部分１９と、吸込面部分１９に対向した吸込対向面部分２０と、吸込面部分１９と吸込対向面部分２０とを連結するスクロール形状のスクロール面部分２１とを有している。モータ部９ａによって、ファン部９ｂが回転すると、ケーシング部９ｃの吸気口１８からケーシング部９ｃ内に空気が吸い込まれ、この吸い込まれた空気は、吐出口１７からケーシング部９ｃ外へ送風される。
【００２４】
本体ケース内には、除湿風路２２と、冷却風路２３と有している。
【００２５】
除湿風路２２は、本体ケース１の吸込口２と、除湿ロータ１０の吸湿領域１０ａと、送風機９とを連通する風路である。本体ケース１の吸込口２から吸い込んだ空気の水分は、除湿ロータ１０の吸湿領域１０ａで、除湿ロータ１０に吸着され、除湿される。冷却風路２３は、本体ケース１の吸込口２と、熱交換器１５と、送風機９とを連通する風路である。本体ケース１の吸込口２から吸い込んだ空気によって、熱交換器１５が冷却される。除湿風路２２と冷却風路２３とを通過したそれぞれの空気は、送風機９で混合され、吹出口４から本体ケース外へ送風される。
【００２６】
以上の構成における除湿動作について説明する。送風機９により吸込口２から室内空気を吸引し、除湿ロータ１０の吸湿領域１０ａに水分を吸湿させ、除湿された空気を乾燥空気として吹出口４から室内に送風する（除湿風路）。除湿ロータ１０に吸湿された水分は、除湿ロータ１０の回転駆動により放湿領域１０ｂに移動し、発熱部１４の加熱により循環風路１３に放出される。循環風路１３では循環送風機１６の送風により、除湿ロータ１０の放湿領域１０ｂから送出した高温多湿の空気は、熱交換器１５に送風される。熱交換器１５では循環風路１３と送風機９により本体ケース１内に吸引され、熱交換器１５を冷却する冷却風路２３とが熱交換を行い、循環風路１３の高温多湿空気は冷却され水分が凝縮し結露水として貯水部６に回収される。熱交換器１５を冷却し、温度が上昇した冷却風路２３の空気は、送風機９により、除湿風路２２の空気と混合され吹出口４から室内に送風される。このように、室内空気の除湿動作がなされている。
【００２７】
図４は本発明の実施の形態における前面側から見た空気調和装置の斜視図であり、本体ケースから貯水部を取り出した状態である。
【００２８】
図４に示すように、本体ケース１の下部には、横長四角形状の開口２５を有し、この開口２５から本体ケース１内に水平方向に延びた空洞部２６を備えている。貯水部６は、開口２５から空洞部２６内へ着脱自在な構造である。なお、本体ケース１は、本体ケース１の開口２５の他方側（図４では、左側）である第１の外面１Ａと、本体ケース１の開口２５の上方側である第２の外面１Ｂとを有している。第２の外面１Ｂは、第１の外面１Ａより所定の寸法だけ外方に出っ張っている。
【００２９】
図５は本発明の実施の形態における空気調和装置の貯水部の分解斜視図である。図６は本発明の実施の形態における空気調和装置の貯水部の斜視図である。図７は本発明の実施の形態における空気調和装置の空洞部の斜視図である。
【００３０】
図５、６、７に示すように、本実施形態における特徴は、貯水部６の構造である。貯水部６は、貯水容器２７と、蓋２８と、化粧板２９とを備えている。
【００３１】
貯水容器２７は、略長方形の深皿形状であり、中央に持ち手３０を備えている。持ち手３０は、貯水容器２７の底面から上方に延びた２本の支持部３１に、回動自在に設けられている。
【００３２】
蓋２８は、貯水容器２７の上端に、着脱自在の構造である。蓋２８は、中央部に窪み３２を有し、この窪み３２に、持ち手３０が入り込んでいる。また、熱交換器内で結露した結露水は、蓋に滴下し、蓋中央の孔３３を介して、貯水容器２７内に溜まる。
【００３３】
化粧板２９は、横長板形状であり、貯水容器２７の長辺側の側面に対向するように固定されている。化粧板２９は、上端の長辺から貯水容器２７側へ延びた細長い平板形状である上縁板２９ａと、下端の長辺から貯水容器２７側へ延びた細長い平板形状である下縁板２９ｂとを備えている。化粧板２９は、上縁板２９ａと下縁板２９ｂとが、貯水容器２７の上端と下端とを挟むように貯水容器２７に固定されている。化粧板２９と、貯水容器２７の長辺側の側面との間には、隙間（図示せず）を備えている。
【００３４】
貯水部６を、開口２５から空洞部２６へ装着すると、化粧板２９は、化粧板２９の長手方向における一方側の端部（図６では、右側の端部）が、空洞部２６の内部に配置され、化粧板２９の長手方向における他方側の端部（図６では、左側の端部）は、空洞部の外部に配置される。言い換えると、化粧板２９は、化粧板２９の長手方向における一方側の端部（図６では、右側の端部）は、露出していないが、化粧板の長手方向における他方側の端部（図６では、左側の端部）は、露出している。
【００３５】
化粧板２９の長手方向における他方側（図６では、左側）には、たわみ部３４を有している。たわみ部３４は、化粧板２９の長手方向において外方に凸形状の曲面である。たわみ部３４には、本体ケース１の内方に突出した化粧板突起３５を有している。
【００３６】
化粧板突起３５は、たわみ部３４から本体ケース１の内方に突出し、水平面上を延びる細長板形状である。化粧板突起３５の面と、化粧板２９の面とがなす角度は、直角である。先端は、半円形状である。貯水部６を、開口２５から空洞部２６へ装着すると、化粧板突起３５は、後述する本体ケース突起３６に接触する。
【００３７】
本体ケース突起３６は、本体ケース１の前面から化粧板２９側へ突出した上下方向に延びたリブ状の突起である。貯水部６を、開口２５から空洞部２６へ装着すると、化粧板突起３５の端部が、本体ケース突起３６の化粧板２９の長手方向における一方側（図７では、右側）に接触する。これにより、化粧板２９は、化粧板２９の長手方向における一方側（図６では、右側）へ押され、化粧板の長手方向における一方側（図６では、右側）の端部が、空洞部２６の内面に押し付けられ、化粧板２９の長手方向における一方側の端部と空洞部２６の内面との隙間を低減できる。
【００３８】
また、貯水部６を、開口２５から空洞部２６へ装着すると、化粧板突起３５は、化粧板２９の長手方向における他方側（図６では、左側）が、本体ケース突起３６の化粧板２９の長手方向における一方側（図６では、右側）に接触し、たわみ部３４である曲面が曲がり、化粧板２９の長手方向における他方側（図６では、左側）の内面が本体ケースの外面側に押される。これにより、化粧板２９の長手方向における他方側（図６では、左側）の内面と本体ケース１の第１の外面１Ａとの隙間が低減され、化粧板２９の外面は、本体ケース１の第２の外面１Ｂと同一面となる。
【００３９】
また、化粧板突起３５は、化粧板２９における上端に設けられている。このように、化粧板突起３５は、化粧板２９における上端に設けられ、化粧板２９の上方には本体ケース１の第２の外面１Ｂが設けられているので、化粧板２９の長手方向における他方側（図６では、左側）の上部内面と、本体ケース１の外面との隙間が低減され、化粧板２９の外面は、本体ケースの第２の外面１Ｂと同一面となる。
【００４０】
また、本体ケース１の開口２５上部の縁には、隙間保持部３７を有している。隙間保持部は３３、第１のリブ３８と、第２のリブ３９とを備えている。
【００４１】
第１のリブ３８は、開口２５上部の縁から内方へ水平に延びた板形状である。第１のリブ３８の下面は、化粧板突起３５と上縁板２９ａの上面とに対向している。
【００４２】
第２のリブ３９は、第１のリブ３８から下方に延びた板形状である。本体ケース１と、第１のリブ３８と、第２のリブ３９とは、樹脂材料で一体に形成されている。
【００４３】
これにより、本体ケース１の開口２５上部の第２の外面１Ｂの縁と、貯水容器２７の化粧板２９の上端との隙間を一定に保つことができる。また、化粧板２９は、上端の長辺から貯水容器２７側へ延びた細長い平板形状である上縁板２９ａを有しているので、隙間が一定に見え易い。
【産業上の利用可能性】
【００４４】
本発明にかかる空気調和装置は、家庭用や事務所用などに使用される空気調和装置等として有用である。
【符号の説明】
【００４５】
１    本体ケース
１Ａ    第１の外面
１Ｂ    第２の外面
２    吸込口
３    操作部
４    吹出口
５    ルーバー
６    貯水部
７    除湿ロータ部
８    再生ユニット
９    送風機
９ａ    モータ部
９ｂ    ファン部
９ｃ    ケーシング部
１０    除湿ロータ
１０ａ    吸湿領域
１０ｂ    放湿領域
１０ｃ    歯
１１    支持枠
１１ａ    開口
１１ｂ    下面部
１２    モータ
１２ａ    歯車
１３    循環風路
１４    発熱部
１５    熱交換器
１６    循環送風機
１６ａ    モータ
１６ｂ    羽根車
１７    吐出口
１８    吸気口
１９    吸込面部分
２０    吸込対向面部分
２１    スクロール面部分
２２    除湿風路
２３    冷却風路
２５    開口
２６    空洞部
２７    貯水容器
２８    蓋
２９    化粧板
３０    持ち手
３１    支持部
３２    窪み
３３    孔
２９ａ    上縁板
２９ｂ    下縁板
３４    たわみ部
３５    化粧板突起
３６    本体ケース突起
３７    隙間保持部
３８    第１のリブ
３９    第２のリブ
【図１】
2019158226.tif 000003
【図２】
2019158226.tif 000004
【図３】
2019158226.tif 000005
【図４】
2019158226.tif 000006
【図５】
2019158226.tif 000007
【図６】
2019158226.tif 000008
【図７】
2019158226.tif 000009